(57)【要約】【課題】記録媒体の搬送量を容易に調整できる搬送量調整方法を提供する。【解決手段】記録媒体１２の幅Ｗを測定する。次に、記録媒体１２の各辺のうち副走査方向に延びる副走査方向一辺１２ａから所定距離ａだけ離れた位置において副走査方向に延びる折り目線５０を記録媒体１２に形成する。続いて、記録媒体１２のうち先端辺１２ｂから（Ｗ−ａ）離れた部分に、主走査方向に延びる一本の基準調整線５２を形成する。さらに、この基準調整線５２よりも副走査方向上流側及び下流側で基準調整線５２に平行に延びる複数本の補助調整線５４，５６，５８，６０，６２，６４を形成する。これら複数本の補助調整線は互いに所定間隔離れるように形成する。次に、先端辺１２ｂが折り目線５０に重なるように折り曲げる。その後、反対側一辺１２ｃが基準調整線５２及び補助調整線５４，５６，５８，６０，６２，６４のうちのどの線に一致するかを見る。【選択図】      図３
2005297382.tif 000002
【特許請求の範囲】
【請求項１】
インクを吐出する印字ヘッドを搭載して所定の主走査方向に走査するキャリッジを備え、前記主走査方向に直交する副走査方向に所定の搬送量だけ記録媒体を搬送して一時的に停止させて再び前記所定の搬送量だけ搬送することを繰り返しながら、記録媒体が一時的に停止している状態で前記キャリッジを前記主走査方向に走査しながらこの記録媒体に前記印字ヘッドからインクを吐出して画像を形成する画像形成装置における、前記所定の搬送量を調整する搬送量調整方法において、
前記副走査方向に搬送される記録媒体の、前記主走査方向の長さＷを測定し、
該記録媒体の各辺のうち前記副走査方向に延びる副走査方向一辺から所定距離ａだけ離れた位置において前記副走査方向に延びる折り目線を該記録媒体に形成すると共に、この記録媒体の各辺のうち前記副走査方向下流側の先端辺から距離（Ｗ−ａ）だけこの記録媒体を搬送し、
この記録媒体のうち前記先端辺から（Ｗ−ａ）離れた部分に、前記主走査方向に延びる一本の基準調整線を形成すると共に、この基準調整線よりも前記副走査方向上流側及び下流側で前記基準調整線に平行に延びる、互いに所定間隔離れた複数本の補助調整線を形成し、
前記先端辺が前記折り目線に重なるように折り曲げて、前記副走査方向一辺とは反対側の反対側一辺が前記基準調整線及び前記補助調整線のうちのどの線に一致するかに基づいて前記所定の搬送量を調整することを特徴とする搬送量調整方法。
【請求項２】
前記複数本の補助調整線を形成する際に、
記録媒体を搬送する搬送装置の最小搬送量及び前記所定間隔双方が等しくなるように前記複数本の補助調整線を形成することを特徴とする請求項１に記載の搬送量調整方法。
【請求項３】
前記所定の搬送量を調整する際に、
前記複数本の補助調整線のうち前記基準調整線よりも前記副走査方向上流側の補助調整線に前記反対側一辺が一致したときは、この一致した補助調整線が前記基準調整線から離れている距離の分だけ前記所定の搬送量を減少させるように前記所定の搬送量を調整し、一方、
前記複数本の補助調整線のうち前記基準調整線よりも前記副走査方向下流側の補助調整線に前記反対側一辺が一致したときは、この一致した補助調整線が前記基準調整線から離れている距離の分だけ前記所定の搬送量を増加させるように前記所定の搬送量を調整することを特徴とする請求項１又は２に記載の搬送量調整方法。
【請求項４】
インクを吐出する印字ヘッドを搭載して所定の主走査方向に走査するキャリッジを備え、前記主走査方向に直交する副走査方向に所定の搬送量だけ記録媒体を搬送して一時的に停止させて再び前記所定の搬送量だけ搬送することを繰り返しながら、記録媒体が一時的に停止している状態で前記キャリッジを前記主走査方向に走査しながらこの記録媒体に前記印字ヘッドからインクを吐出して画像を形成する画像形成装置における、前記所定の搬送量を調整する搬送量調整方法において、
前記副走査方向に搬送される記録媒体の、前記主走査方向の長さＷを測定し、
この記録媒体の各辺のうち前記副走査方向に延びる副走査方向一辺から所定距離ａだけ離れると共に前記副走査方向下流側の先端辺における位置と、この先端辺から距離（Ｗ−ａ）だけ離れると共に前記副走査方向一辺とは反対側の反対側一辺における位置との間を延びる折り目線を形成しながら、前記先端辺から距離（Ｗ−ａ）だけこの記録媒体を搬送し、
前記副走査方向一辺から距離ａだけ離れると共に前記先端辺から距離（Ｗ−ａ）だけ離れた位置において、前記副走査方向に延びる基準調整線を形成し、且つ、この基準調整線を挟んだ両側でこの基準調整線に平行に延びると共に互いに所定間隔離れた複数本の補助調整線を形成し、
前記記録媒体を前記折り目線で折り曲げて、前記先端辺が前記基準調整線及び前記補助調整線のうちのどの線に一致するかに基づいて前記所定の搬送量を調整することを特徴とする搬送量調整方法。
【請求項５】
前記複数本の補助調整線を形成する際に、
記録媒体を搬送する搬送装置の最小搬送量及び前記所定間隔双方が等しくなるように前記複数本の補助調整線を形成することを特徴とする請求項１に記載の搬送量調整方法。
【請求項６】
前記所定の搬送量を調整する際に、
前記複数本の補助調整線のうち前記基準調整線よりも副走査方向一辺の側の補助調整線に前記先端辺が一致したときは、この一致した補助調整線が前記基準調整線から離れている距離の分だけ前記所定の搬送量を減少させるように前記所定の搬送量を調整し、一方、
前記複数本の補助調整線のうち前記基準調整線よりも反対側一辺の側の補助調整線に前記先端辺が一致したときは、この一致した補助調整線が前記基準調整線から離れている距離の分だけ前記所定の搬送量を増加させるように前記所定の搬送量を調整することを特徴とする請求項４又は５に記載の搬送量調整方法。
【請求項７】
前記搬送量を調整する手順を記録媒体に形成することを特徴とする請求項１から６までのうちのいずれか一項に記載の搬送量調整方法。
【発明の詳細な説明】
【技術分野】
【０００１】
本発明は、記録紙などの記録媒体を搬送する際の搬送量を調整する搬送量調整方法に関する。
【背景技術】
【０００２】
コンピュータやワークステーションの出力装置の一つとして、記録紙などの記録媒体にインクを吐出して画像を形成するインクジェット方式の画像形成装置が知られている。このインクジェット方式画像形成装置は、通常、インクが吐出する複数のノズルが形成された印字ヘッドと、この印字ヘッドを搭載して主走査方向に往復動するキャリッジと、この主走査方向に直交する方向（副走査方向であり記録媒体搬送方向）に記録媒体を搬送する記録媒体搬送装置とを備えている。
【０００３】
上記のようなインクジェット方式の画像形成装置で記録媒体に画像を形成する際は、記録媒体搬送装置で搬送中の記録媒体を一時的に停止させ、キャリッジを主走査方向に往復動させながら、画像情報を担持した画像信号に基づいて複数のノズルから選択的にインクを吐出し、記録媒体のうちノズルの出口（インク吐出口）に向き合う画像形成領域に位置する部分に１バンド分の画像を形成する。その後、記録媒体を１バンド分の幅だけ搬送して停止させ、再び、キャリッジを主走査方向に往復動させながら、画像信号に基づいてノズルからインクを吐出し、記録媒体のうち画像形成領域に新たに位置する部分に画像を形成する。このような動作を繰り返すことによって記録媒体に画像を形成する。
【０００４】
上述したように、インクジェット方式画像形成装置では、記録媒体を一時的に停止させた状態でキャリッジを主走査方向に走査しながらこの記録媒体のうち、複数のインク吐出口が形成されている面（インク吐出面）の副走査方向長さ（ヘッド幅といい、上記した一バンド分の幅である）に相当する部分に印字し、この印字後に、記録媒体をヘッド幅分だけ搬送して再び一時的に停止させてヘッド幅に相当する部分に印字する。このように記録媒体を搬送する際に、搬送装置の排紙ローラのすべりや回転数のばらつきに起因して、記録媒体がヘッド幅よりも短い距離しか搬送されなかったり、この逆にヘッド幅よりも長い距離だけ搬送されたりすることがある。
【０００５】
記録媒体がヘッド幅よりも短い距離しか搬送されなかった場合、このヘッド幅に相当する部分で印字が重なって黒スジになる。この逆に、記録媒体がヘッド幅よりも長い距離だけ搬送された場合、記録媒体のうち印字されない部分は白スジになってしまう。
【０００６】
また、近年、画像の高精細化に伴って、インクの着弾のズレが画像上にムラ（バンディング）を引き起こす原因になっている。さらに、記録媒体を一回に搬送する距離（搬送量）がヘッド幅に等しくないときは、ＣＡＤなどで出力される図面の寸法に誤差が生じる。
【０００７】
このような問題を解決するために、２０％ｄｕｔｙ程度のハーフトーンを印刷して黒スジや白スジなどの印字むらを見付けて搬送量を調整したり、工場からの出荷時に搬送量をスケールで測定して補正量を求めて調整したりしている。
【発明の開示】
【発明が解決しようとする課題】
【０００８】
しかし、ハーフトーンなどの印字むらを見付けて搬送量を調整する場合、ユーザはこの印字むらを見付けにくいので、搬送量を適正に調整できないことがある。また、工場からの出荷時に調整する場合は長いスケールを用意する必要があるので、この調整方法をユーザが行うには手間になってしまう。
【０００９】
本発明は、上記事情に鑑み、記録媒体の搬送量を容易に調整できる搬送量調整方法を提供することを目的とする。
【課題を解決するための手段】
【００１０】
上記目的を達成するための本発明の第１の記録媒体搬送量調整方法は、インクを吐出する印字ヘッドを搭載して所定の主走査方向に走査するキャリッジを備え、前記主走査方向に直交する副走査方向に所定の搬送量だけ記録媒体を搬送して一時的に停止させて再び前記所定の搬送量だけ搬送することを繰り返しながら、記録媒体が一時的に停止している状態で前記キャリッジを前記主走査方向に走査しながらこの記録媒体に前記印字ヘッドからインクを吐出して画像を形成する画像形成装置における、前記所定の搬送量を調整する搬送量調整方法において、
（１）前記副走査方向に搬送される記録媒体の、前記主走査方向の長さＷを測定し、
（２）該記録媒体の各辺のうち前記副走査方向に延びる副走査方向一辺から所定距離ａだけ離れた位置において前記副走査方向に延びる折り目線を該記録媒体に形成すると共に、この記録媒体の各辺のうち前記副走査方向下流側の先端辺から距離（Ｗ−ａ）だけこの記録媒体を搬送し、
（３）この記録媒体のうち前記先端辺から（Ｗ−ａ）離れた部分に、前記主走査方向に延びる一本の基準調整線を形成すると共に、この基準調整線よりも前記副走査方向上流側及び下流側で前記基準調整線に平行に延びる、互いに所定間隔離れた複数本の補助調整線を形成し、
（４）前記先端辺が前記折り目線に重なるように折り曲げて、前記副走査方向一辺とは反対側の反対側一辺が前記基準調整線及び前記補助調整線のうちのどの線に一致するかに基づいて前記所定の搬送量を調整することを特徴とするものである。
【００１１】
ここで、
（５）前記複数本の補助調整線を形成する際に、記録媒体を搬送する搬送装置の最小搬送量及び前記所定間隔双方が等しくなるように前記複数本の補助調整線を形成してもよい。
【００１２】
さらに、
（６）前記所定の搬送量を調整する際に、
（６―１）前記複数本の補助調整線のうち前記基準調整線よりも前記副走査方向上流側の補助調整線に前記反対側一辺が一致したときは、この一致した補助調整線が前記基準調整線から離れている距離の分だけ前記所定の搬送量を減少させるように前記所定の搬送量を調整し、一方、
（６―２）前記複数本の補助調整線のうち前記基準調整線よりも前記副走査方向下流側の補助調整線に前記反対側一辺が一致したときは、この一致した補助調整線が前記基準調整線から離れている距離の分だけ前記所定の搬送量を増加させるように前記所定の搬送量を調整してもよい。
【００１３】
また、上記目的を達成するための本発明の第２の記録媒体搬送量調整方法は、インクを吐出する印字ヘッドを搭載して所定の主走査方向に走査するキャリッジを備え、前記主走査方向に直交する副走査方向に所定の搬送量だけ記録媒体を搬送して一時的に停止させて再び前記所定の搬送量だけ搬送することを繰り返しながら、記録媒体が一時的に停止している状態で前記キャリッジを前記主走査方向に走査しながらこの記録媒体に前記印字ヘッドからインクを吐出して画像を形成する画像形成装置における、前記所定の搬送量を調整する搬送量調整方法において、
（７）前記副走査方向に搬送される記録媒体の、前記主走査方向の長さＷを測定し、
（８）この記録媒体の各辺のうち前記副走査方向に延びる副走査方向一辺から所定距離ａだけ離れると共に前記副走査方向下流側の先端辺における位置と、この先端辺から距離（Ｗ−ａ）だけ離れると共に前記副走査方向一辺とは反対側の反対側一辺における位置との間を延びる折り目線を形成しながら、前記先端辺から距離（Ｗ−ａ）だけこの記録媒体を搬送し、
（９）前記副走査方向一辺から距離ａだけ離れると共に前記先端辺から距離（Ｗ−ａ）だけ離れた位置において、前記副走査方向に延びる基準調整線を形成し、且つ、この基準調整線を挟んだ両側でこの基準調整線に平行に延びると共に互いに所定間隔離れた複数本の補助調整線を形成し、
（１０）前記記録媒体を前記折り目線で折り曲げて、前記先端辺が前記基準調整線及び前記補助調整線のうちのどの線に一致するかに基づいて前記所定の搬送量を調整することを特徴とするものである。
【００１４】
ここで、
（１１）前記複数本の補助調整線を形成する際に、記録媒体を搬送する搬送装置の最小搬送量及び前記所定間隔双方が等しくなるように前記複数本の補助調整線を形成してもよい。
【００１５】
さらに、
（１２）前記所定の搬送量を調整する際に、
（１２―１）前記複数本の補助調整線のうち前記基準調整線よりも副走査方向一辺の側の補助調整線に前記先端辺が一致したときは、この一致した補助調整線が前記基準調整線から離れている距離の分だけ前記所定の搬送量を減少させるように前記所定の搬送量を調整し、一方、
（１２―２）前記複数本の補助調整線のうち前記基準調整線よりも反対側一辺の側の補助調整線に前記先端辺が一致したときは、この一致した補助調整線が前記基準調整線から離れている距離の分だけ前記所定の搬送量を増加させるように前記所定の搬送量を調整してもよい。
【００１６】
さらにまた、
（１３）前記搬送量を調整する手順を記録媒体に形成してもよい。
【発明の効果】
【００１７】
本発明の第１の搬送量調整方法によれば、記録媒体に画像を形成するに先立って、調整用になる記録媒体（調整用記録媒体）に折り目線、基準調整線、及び複数本の補助調整線を形成して、この調整用記録媒体を折り曲げることによって記録媒体の搬送量を調整できる。従って、ユーザが搬送量を容易に調整して適切な搬送量にできる。
【００１８】
ここで、前記複数本の補助調整線を形成する際に、記録媒体を搬送する搬送装置の最小搬送量及び前記所定間隔双方が等しくなるように前記複数本の補助調整線を形成する場合は、いっそう正確に搬送量を調整できる。
【００１９】
さらに、前記所定の搬送量を調整する際に、前記複数本の補助調整線のうち前記基準調整線よりも前記副走査方向上流側の補助調整線に前記反対側一辺が一致したときは、この一致した補助調整線が前記基準調整線から離れている距離の分だけ前記所定の搬送量を減少させるように前記所定の搬送量を調整し、一方、前記複数本の補助調整線のうち前記基準調整線よりも前記副走査方向下流側の補助調整線に前記反対側一辺が一致したときは、この一致した補助調整線が前記基準調整線から離れている距離の分だけ前記所定の搬送量を増加させるように前記所定の搬送量を調整する場合は、いっそう正確に搬送量を調整できる。
【００２０】
また、本発明の第２の搬送量調整方法によれば、記録媒体に画像を形成するに先立って、調整用になる記録媒体（調整用記録媒体）に折り目線、基準調整線、及び複数本の補助調整線を形成して、この調整用記録媒体を折り曲げることによって記録媒体の搬送量を調整できる。従って、ユーザが搬送量を容易に調整して適切な搬送量にできる。
【００２１】
ここで、前記複数本の補助調整線を形成する際に、記録媒体を搬送する搬送装置の最小搬送量及び前記所定間隔双方が等しくなるように前記複数本の補助調整線を形成する場合は、いっそう正確に搬送量を調整できる。
【００２２】
さらに、前記所定の搬送量を調整する際に、前記複数本の補助調整線のうち前記基準調整線よりも副走査方向一辺の側の補助調整線に前記先端辺が一致したときは、この一致した補助調整線が前記基準調整線から離れている距離の分だけ前記所定の搬送量を減少させるように前記所定の搬送量を調整し、一方、前記複数本の補助調整線のうち前記基準調整線よりも反対側一辺の側の補助調整線に前記先端辺が一致したときは、この一致した補助調整線が前記基準調整線から離れている距離の分だけ前記所定の搬送量を増加させるように前記所定の搬送量を調整する場合は、いっそう正確に搬送量を調整できる。
【００２３】
さらにまた、前記搬送量を調整する手順を記録媒体に形成する場合は、ユーザがいっそう容易に搬送量を調整できる。
【発明を実施するための最良の形態】
【００２４】
本発明は、記録媒体にインクを吐出して画像を形成するインクジェットプリンタに実現された。
【実施例１】
【００２５】
図面を参照して、本発明の搬送量調整方法の実施形態を説明する。
【００２６】
図１は、本発明の搬送量調整方法が適用されたインクジェットプリンタ（プロッタ）を示す斜視図である。
【００２７】
プロッタ１０は、矢印Ａ方向（本発明にいう副走査方向の一例である）に搬送される記録媒体１２が載置されるプラテン１４を備えている。このプラテン１４の上方には、プラテン１４に平行に２本の走査レール（図示せず）が掛け渡されている。この走査レールにはモータ１６とベルト１８によって矢印Ｂ，Ｃ方向（矢印Ａ方向に直交する方向であり、主走査方向の一例である）に往復運動するキャリッジ２０がスライド軸受け（図示せず）を介して取り付けられている。
【００２８】
キャリッジ２０の移動経路に沿ってリニアスケール２１（図２参照）が配置されている。リニアスケール２１には、キャリッジ２０の位置検出およびインク吐出タイミングを定めるための規則的なスリットが設けられている。また、このリニアスケール２１のスリットを読み取るために、キャリッジ２０に光学式リニアスケールセンサ（図示せず）が搭載されている。この光学式リニアスケールセンサから出力されるパルスをカウントすることにより、矢印Ｂ，Ｃ方向におけるキャリッジ２０の位置が決定される。パルスカウントの初期化は、電源オン時に走査レールの端部にあるホームポジション（HP）センサ（図示せず）の位置へキャリッジ２０を移動させることによって行われる。
【００２９】
また、キャリッジ２０には反射型光学センサ２８が搭載されており、これにより後述するように記録媒体１２の端部が検出される。また、反射型光学センサ２８で記録媒体１２の主走査方向両端部を検出することによって、この記録媒体１２の主走査方向の長さＷを測定できる。
【００３０】
図２を参照して、プロッタ１０の制御ハードウエア構成の概略を説明する。
【００３１】
図２は、図１のプロッタの制御ハードウエア構成の概略を示すブロック図である。
【００３２】
プロッタ１０は、装置全体の動作をプログラム制御するための中央処理装置（ＣＰＵ）４０、このＣＰＵ４０が実行するプログラムやデータ等を格納するＲＯＭ４１、プロッタ１０に固有なパラメータや駆動条件など各種データ等を記憶する不揮発性メモリ４２、プログラム処理における作業領域や一時保持領域等を提供するＲＡＭ４３、ユーザの各種操作指示を受け取ったりユーザへ各種情報を伝えたりするためのオペレーションパネル２９、キャリッジを駆動するためのキャリッジモータ１６、記録媒体を搬送するための媒体搬送モータ１７、この媒体搬送モータ１７に付随したロータリーエンコーダ１９、反射式光学センサ２８を有する。
【００３３】
オペレーションパネル２９は、メッセージ等を表示する液晶パネル等のディスプレイ、あるいはインジケータとして機能するＬＥＤ等のランプと指示を送るための各種キー等で構成することができる。不揮発性メモリ４２としては、フラッシュメモリ、バッテリバックアップメモリ、ＥＥＰＲＯＭ等、任意の記憶装置を使用できる。上記したハードウエア部分はエンジンコントローラ４５と呼ばれており、主にモータ、ヘッド等のハードウエアを駆動／制御する役目を担っている。
【００３４】
画像データ等のイメージ処理、ネットワークに接続するためのプロトコル処理、ホストコンピュータと通信処理などを担う部分はイメージコントローラ４６と呼ばれており、イメージコントローラ４６は、画像処理を行ったラスタデータ、動作を依頼／返答するためのコマンドデータなどを通信Ｉ／Ｆ４４を通してエンジンコントローラと互いに通信して動作するように構成されている。イメージコントローラ１６はＣＰＵ４０とは異なる独立したＣＰＵ（図示せず）を持っており、エンジンコントローラ４５と並行動作して全体のスループットが向上するように構成されている。
【００３５】
上記したプロッタ１０で記録媒体に画像を形成する動作を説明する。
【００３６】
画像記録するに先立って、ロール紙など記憶媒体のサイズを測定して記録可能範囲を検出するために、プラテン１４に記録媒体１２を載置する。続いて、プラテン１４に形成された開口部から外周面の一部を露出した搬送ローラ２４と、記録媒体１２を上方から押さえるピンチローラ２６とによって記録媒体１２を狭持しながら、媒体搬送モータ１７によって搬送ローラ２４を回転させて記録媒体１２の先端をプラテンから排出させるまで搬送する。また、キャリッジ２０を記録媒体載置基準位置２７から矢印Ｂ方向へ最小記録媒体サイズ（ＩＳＯＡ４  ２１０ｍｍ×２９７ｍｍ）よりも短い距離（ここでは３０ｍｍ）移動させる。
【００３７】
次に搬送ローラ２４を逆転させて、キャリッジ２０に備えられている反射式光学センサ２８でプラテン１４を検出するまで記録媒体１２を矢印Ａ方向とは反対の方向に搬送する。プラテン１４を検出した位置が記録媒体１２の先端位置であるのでこの位置をＲＡＭ４３に記憶させる。
【００３８】
続いて、記録媒体１２を所定距離（ここでは１００ｍｍ）だけ矢印Ａ方向に搬送して、キャリッジ２０を記録媒体載置基準位置２７から矢印Ｃ方向へ外れた位置へ移動し、その後、キャリッジ２０を矢印Ｂ方向へ一定速度で移動させる。キャリッジ２０を移動させながら、反射式光学センサ２８が記録媒体１２からの反射光を検出した時点の位置が記録媒体１２の矢印Ｃ方向の側端部である。この位置をＲＡＭ４３に記憶させる。さらに、キャリッジ２０の移動を継続してプラテン１４を検出した時点の位置が記録媒体の矢印Ｂ方向の側端部である。この位置もＲＡＭ４３に記憶させる。
【００３９】
以上の処理により、プラテン１４に載置された記憶媒体１２の先端位置、および両側端部（横幅Ｗであり、本発明にいう主走査方向の長さＷである）が決定し画像形成可能となる。この動作はロード処理と呼ばれており、新規に記録媒体をプロッタ１０に装着した際は必ず行われる動作である。
【００４０】
記憶媒体１２に画像を記録する（形成する）にあたっては、プラテン１４上に記録媒体１２を載置し、記録媒体１２の上方でキャリッジ２０を矢印Ｂ，Ｃ方向に往復動させて（走査させて）、イメージコントローラ４６から送られたラスタデータをヘッドノズル列方向へデータ変換し、変換されたデータをリニアスケール２１のカウントパルスに同期して順次にヘッド制御部（図示せず）へ送信する。ヘッド制御部から印字ヘッド２２に送信された画像情報を含む画像信号に基づいてノズルからインクを吐出して、記録媒体１２上の、印字ヘッド２２に対応する領域に帯状（バンド）の画像を形成する。記録媒体１２を順次に所定の搬送量だけ移動させながら、このような帯状の画像を繰り返して形成する。これにより１ページ分の画像形成が完了する。１ページ分の画像を形成し終わった後、キャリッジ２０に搭載されたカッター（図示せず）をカッターガイド（図示せず）内の所定位置まで突出させて、キャリッジ２０を移動させることにより記録媒体１２を所定サイズに裁断する。
【００４１】
図３から図５までを参照して、本発明の搬送量調整方法の一例を説明する。
【００４２】
図３は、折り目線や基準調整線などが形成された記録媒体を示す平面図である。図４は、折り目線で折り曲げられた記録媒体を示す平面図である。図５は、複数の補助調整線とその近傍を示す拡大図である。
【００４３】
搬送量を調整するに際しては、先ず、記録媒体１２の、主走査方向（矢印Ｂ，Ｃ方向）の長さ（幅）Ｗを測定する。この幅Ｗは、上述したように、キャリッジ２０を主走査方向に移動させながら反射式光学センサ２８で記録媒体１２からの反射光を検出することにより測定される。
【００４４】
次に、記録媒体１２の各辺のうち副走査方向（矢印Ａ方向）に延びる副走査方向一辺１２ａから所定距離ａだけ離れた位置において副走査方向に延びる折り目線５０を記録媒体１２に形成する。折り目線５０を形成するに当たっては、記録媒体１２の先端辺１２ｂから距離（Ｗ−ａ）だけこの記録媒体１２を搬送する。
【００４５】
続いて、記録媒体１２のうち先端辺１２ｂから（Ｗ−ａ）離れた部分に、主走査方向に延びる一本の基準調整線５２を形成する。さらに、この基準調整線５２よりも副走査方向上流側及び下流側で基準調整線５２に平行に延びる複数本の補助調整線５４，５６，５８，６０，６２，６４を形成する。これら複数本の補助調整線５４，５６，５８，６０，６２，６４は互いに所定間隔離れるように形成する。ここでは、記録媒体１２を搬送する搬送装置が記録媒体１２を搬送できる最小搬送量（最小搬送距離）と所定間隔が等しくなるように、複数本の補助調整線５４，５６，５８，６０，６２，６４を形成した。なお、基準調整線５２及び複数本の補助調整線５４，５６，５８，６０，６２，６４を形成するに当たっては、キャリッジ２０を主走査方向に走査させながら所定のタイミングで印字ヘッド２２からインクを吐出してこれら各調整線を形成した。
【００４６】
次に、図４に示すように、先端辺１２ｂが折り目線５０に重なるように折り曲げる。このように折り曲げた後、副走査方向一辺１２ａとは反対側の反対側一辺１２ｃが基準調整線５２及び補助調整線５４，５６，５８，６０，６２，６４のうちのどの線に一致するかを見る。このように反対側一辺１２ｃが各調整線のいずれに一致するかに基づいて搬送量を調整する。
【００４７】
反対側一辺１２ｃが基準調整線５２に一致した（重なった）ときは、記録媒体１２が正確に（Ｗ−ａ）の距離だけ搬送されたことになる。反対側一辺１２ｃが補助調整線５４，５６，５８（副走査方向上流側の補助調整線）のいずれかに一致した（重なった）ときは、（Ｗ−ａ）だけ搬送したはずの記録媒体１２が（Ｗ−ａ）よりも長く搬送されたこととなる。従って、補助調整線５４，５６，５８のうち反対側一辺１２ｃが重なった線が基準調整線５２から離れている距離の分だけ所定の搬送量を減少させるように所定の搬送量を調整する。この調整は、オペレーションパネル２９（図２参照）に適宜に数字を入力することにより行えるように構成されている。オペレーションパネル２９（図２参照）に適宜に数字を入力した場合、この数字に対応する距離の分だけ媒体搬送モータ１７（図２参照）の回転数が増減するようになっている。
【００４８】
一方、反対側一辺１２ｃが補助調整線６０，６２，６４（副走査方向下流側の補助調整線）のいずれかに一致した（重なった）ときは、（Ｗ−ａ）だけ搬送したはずの記録媒体１２が（Ｗ−ａ）よりも短く搬送されたこととなる。従って、補助調整線６０，６２，６４のうち反対側一辺１２ｃが重なった線が基準調整線５２から離れている距離の分だけ所定の搬送量を増加させるように所定の搬送量を調整する。この調整も、オペレーションパネル２９（図２参照）に適宜に数字を入力することにより行えるように構成されている。オペレーションパネル２９（図２参照）に適宜に数字を入力した場合、この数字に対応する距離の分だけ媒体搬送モータ１７（図２参照）の回転数が増減するようになっている。
【００４９】
なお、図３に示すように、記録媒体１２には、「折り目線５０と先端辺１２ｂが一致するように記録媒体１２を折り曲げて下さい」と記載された領域１２ｄと、「反対側一辺１２ｃが重なった調整線の左に記載されている数値をオペレーションパネル２９に入力して下さい」と記載された領域１２ｅが形成されており、搬送量を調整する手順が記録媒体１２に形成されている。
【００５０】
上記した搬送量調整方法によれば、記録媒体１２に画像を形成するに先立って、調整用になる記録媒体（ここでは、記録媒体１２）に折り目線５０、基準調整線５２、及び複数本の補助調整線５４，５６，５８，６０，６２，６４を形成して、この記録媒体１２を折り曲げることによって記録媒体１２の搬送量を調整できる。従って、ユーザが搬送量を容易に調整して適切な搬送量にできる。
【００５１】
図６から図８までを参照して、本発明の搬送量調整方法の他の例を説明する。
【００５２】
図６は、折り目線や基準調整線などが形成された記録媒体を示す平面図である。図７は、折り目線で折り曲げられた記録媒体を示す平面図である。図８は、複数の補助調整線とその近傍を示す拡大図である。
【００５３】
搬送量を調整するに際しては、先ず、記録媒体１２の、主走査方向（矢印Ｂ，Ｃ方向）の長さ（幅）Ｗを測定する。この幅Ｗは、上述したように、キャリッジ２０を主走査方向に移動させながら反射式光学センサ２８で記録媒体１２からの反射光を検出することにより測定される。
【００５４】
次に、記録媒体１２の各辺のうち副走査方向（矢印Ａ方向）に延びる副走査方向一辺１２ａから所定距離ａだけ離れると共に副走査方向下流側の先端辺１２ｂにおける位置Ｘと、この先端辺１２ｂから距離（Ｗ−ａ）だけ離れると共に副走査方向一辺１２ａとは反対側の反対側一辺１２ｃにおける位置Ｙとの間を延びる折り目線７０を形成する。折り目線７０を形成するに当たっては、記録媒体１２の先端辺１２ｂから距離（Ｗ−ａ）だけこの記録媒体１２を搬送する。
【００５５】
続いて、副走査方向一辺１２ａから距離ａだけ離れると共に先端辺１２ｂから距離（Ｗ−ａ）だけ離れた位置において、副走査方向に延びる基準調整線７２を形成する。さらに、この基準調整線７２を挟んだ両側でこの基準調整線に平行に延びる複数本の補助調整線７４，７６，７８，８０，８２，８４を形成する。これら複数本の補助調整線７４，７６，７８，８０，８２，８４は互いに所定間隔離れるように形成する。ここでは、記録媒体１２を搬送する搬送装置が記録媒体１２を搬送できる最小搬送量（最小搬送距離）と所定間隔が等しくなるように、複数本の補助調整線７４，７６，７８，８０，８２，８４を形成した。なお、基準調整線７２及び複数本の補助調整線７４，７６，７８，８０，８２，８４を形成するに当たっては、キャリッジ２０を主走査方向に走査させながら所定のタイミングで印字ヘッド２２からインクを吐出してこれら各調整線を形成した。
【００５６】
次に、図７に示すように、記録媒体１２を折り目線７０で折り曲げる。このように折り曲げた後、先端辺１２ｂが基準調整線７２及び補助調整線７４，７６，７８，８０，８２，８４のうちのどの線に一致するかを見る。このように先端辺１２ｂが各調整線のいずれに一致するかに基づいて搬送量を調整する。
【００５７】
先端辺１２ｂが基準調整線７２に一致した（重なった）ときは、記録媒体１２が正確に（Ｗ−ａ）の距離だけ搬送されたことになる。先端辺１２ｂが補助調整線７４，７６，７８（基準調整線７２よりも副走査方向一辺１２ａの側の補助線）のいずれかに一致した（重なった）ときは、（Ｗ−ａ）だけ搬送したはずの記録媒体１２が（Ｗ−ａ）よりも長く搬送されたこととなる。従って、補助調整線７４，７６，７８のうち先端辺１２ｂが重なった線が基準調整線７２から離れている距離の分だけ所定の搬送量を減少させるように所定の搬送量を調整する。この調整は、オペレーションパネル２９（図２参照）に適宜に数字を入力することにより行えるように構成されている。オペレーションパネル２９（図２参照）に適宜に数字を入力した場合、この数字に対応する距離の分だけ媒体搬送モータ１７（図２参照）の回転数が増減するようになっている。
【００５８】
一方、先端辺１２ｂが補助調整線８０，８２，８４（基準調整線７２よりも反対側一辺１２ｃの側の補助線）のいずれかに一致した（重なった）ときは、（Ｗ−ａ）だけ搬送したはずの記録媒体１２が（Ｗ−ａ）よりも短く搬送されたこととなる。従って、補助調整線８０，８２，８４のうち先端辺１２ｂが重なった線が基準調整線７２から離れている距離の分だけ所定の搬送量を増加させるように所定の搬送量を調整する。この調整も、オペレーションパネル２９（図２参照）に適宜に数字を入力することにより行えるように構成されている。オペレーションパネル２９（図２参照）に適宜に数字を入力した場合、この数字に対応する距離の分だけ媒体搬送モータ１７（図２参照）の回転数が増減するようになっている。
【００５９】
なお、図６に示すように、記録媒体１２には、「折り目線７０で記録媒体１２を折り曲げて下さい」と記載された領域１２ｄと、「先端辺１２ｂが重なった調整線の左に記載されている数値をオペレーションパネル２９に入力して下さい」と記載された領域１２ｅが形成されており、搬送量を調整する手順が記録媒体１２に形成されている。
【００６０】
上記した搬送量調整方法によれば、記録媒体１２に画像を形成するに先立って、調整用になる記録媒体（ここでは、記録媒体１２）に折り目線７０、基準調整線７２、及び複数本の補助調整線７４，７６，７８，８０，８２，８４を形成して、この記録媒体１２を折り曲げることによって記録媒体１２の搬送量を調整できる。従って、ユーザが搬送量を容易に調整して適切な搬送量にできる。
【図面の簡単な説明】
【００６１】
【図１】本発明の搬送量調整方法が適用されたインクジェットプリンタ（プロッタ）を示す斜視図である。
【図２】図１のプロッタの制御ハードウエア構成の概略を示すブロック図である。
【図３】折り目線や基準調整線などが形成された記録媒体を示す平面図である。
【図４】折り目線で折り曲げられた記録媒体を示す平面図である。
【図５】複数の補助調整線とその近傍を示す拡大図である。
【図６】折り目線や基準調整線などが形成された記録媒体を示す平面図である。
【図７】折り目線で折り曲げられた記録媒体を示す平面図である。
【図８】複数の補助調整線とその近傍を示す拡大図である。
【符号の説明】
【００６２】
１２  記録媒体
２０  キャリッジ
２２  印字ヘッド
５０，７０  折り目線
５２，７２  基準調整線
５２，５４，５６，６０，６２，６４，７２，７４，７６，７８，８０，８２，８４  補助調整線
Ｗ  記録媒体の幅
【図１】
2005297382.tif 000003
【図２】
2005297382.tif 000004
【図３】
2005297382.tif 000005
【図４】
2005297382.tif 000006
【図５】
2005297382.tif 000007
【図６】
2005297382.tif 000008
【図７】
2005297382.tif 000009
【図８】
2005297382.tif 000010